(57)【要約】【課題】カメラ付き携帯端末装置において取得した画像データの保管やプリント注文に対する課金を効率よく行う。【解決手段】カメラ付き携帯電話２の通信料金をカメラ付き携帯電話２が送信する電話番号Ｃ０に基づいてユーザ毎に算出し、その情報を課金マスター１６に保管する。画像データを画像保管サーバ１４に保管する際には、電話番号Ｃ０に基づいてユーザ毎に画像保管サーバ１４が保管料金を算出し、その保管料金の情報を課金マスター１６に保管する。画像保管サーバ１４に保管した画像データのプリント処理をプリント受注サーバ１７において行う際には、プリント受注サーバ１７が電話番号Ｃ０に基づいてユーザ毎にプリント料金を算出し、そのプリント料金の算出を課金マスター１６に保管する。【選択図】　　　　　図１
2004070404.tif 000002
【特許請求の範囲】
【請求項１】
発信者コードを有するカメラ付き携帯端末装置からのアクセスがあると、該発信者コードに基づいてアクセス中のカメラ付き携帯端末装置に対してアクセスに対する課金を行う課金手段を備えた携帯端末システムにおいて、
前記カメラ付き携帯端末装置において取得されて送信された画像データを、該カメラ付き携帯端末装置から送信された前記発信者コードに基づいて分類保管する画像保管サーバをさらに備え、
前記課金手段は、前記画像保管サーバへの前記画像データの保管に対する課金を前記発信者コードに基づいて行う手段であることを特徴とする携帯端末システム。
【請求項２】
前記画像保管サーバに保管された前記画像データに対する前記カメラ付き携帯端末装置からのプリント注文に対して、前記カメラ付き携帯端末装置から送信された前記発信者コードに基づいて該画像データのプリント処理を行うプリント注文サーバをさらに備え、
前記課金手段は、前記画像データの前記プリント注文に対する課金を前記発信者コードに基づいて行う手段であることを特徴とする請求項１記載の携帯端末システム。
【発明の詳細な説明】
【０００１】
【発明の属する技術分野】
本発明は、カメラ付き携帯端末装置に対して課金を行う携帯端末システムに関するものである。
【０００２】
【従来の技術】
携帯電話の普及には目覚ましいものがあるが、近年、撮影により画像データを取得する撮影手段を有するカメラ付き携帯電話が普及しつつある（例えば特開平６−２３３０２０号公報、同９−３２２１１４号公報、同１０−１５０５２３号公報、特開２０００−２５３２９０号公報等）。このようなカメラ付き携帯電話を用いることにより、撮影により取得した自分の好みの画像データを携帯電話の待ち受け画面に設定できる。また、撮影により取得した画像データを電子メールに添付して友人に送信することができるため、約束をキャンセルせざるを得ないような状況になったとき、あるいは待ち合わせ時刻に遅刻しそうなときに、申し訳なさそうな自分の表情を撮影して友人に送信する等、現在の自分の状況を友人に知らせることができることから、友人とのコミュニケーションを図るのに便利である。
【０００３】
一方、デジタルカメラによって取得された画像データや、ネガフイルムやプリントに記録された画像をスキャナ等の読取装置により読み取ることにより取得された画像データを、ＣＤ−Ｒ等の記録媒体に記録したり、またユーザの依頼により画像をプリント出力するフォトサービスシステムが提案されている（例えば特開平１０−１５０５３８号公報、同１０−１５０５４１号公報等）。さらに、画像データを保管する画像保管サーバに、インターネット等のネットワーク経由で画像データを送信して画像データを保管し、画像保管サーバから遠隔地にあるパソコン等の端末装置を用いて画像データを鑑賞したりプリント注文する等、画像に関する種々の処理を行うネットワークフォトサービスシステムも提案されている（例えば特開平１０−３１３３９９号公報、特開平１１−１５４２１８号公報等）。
【０００４】
また、カメラ付き携帯電話において取得された画像データに対して、ネットワークフォトサービスを提供し、画像データを画像保管サーバにおいて保管したり、画像データをプリント出力等することが行われている。これにより、カメラ付き携帯端末で取得した画像データのプリントを取得したり、ネットワーク上において画像を閲覧する等できるため、通信による画像データの利用形態の多様化を図ることができる。
【０００５】
【発明が解決しようとする課題】
しかしながら、上述したネットワークフォトサービスを利用する場合、画像データの保管やプリント注文を行う毎に課金がなされるため、ユーザはサービスを利用する度にユーザ登録を行ったり、ユーザＩＤおよびパスワードの入力を行う必要があり、サービス利用の手続が非常に面倒である。
【０００６】
本発明は上記事情に鑑みなされたものであり、とくにカメラ付き携帯電話のように画像データを送信することが可能なカメラ付き携帯端末装置に対する課金を効率よく行うことを目的とする。
【０００７】
【課題を解決するための手段】
本発明による携帯端末システムは、発信者コードを有するカメラ付き携帯端末装置からのアクセスがあると、該発信者コードに基づいてアクセス中のカメラ付き携帯端末装置に対してアクセスに対する課金を行う課金手段を備えた携帯端末システムにおいて、
前記カメラ付き携帯端末装置において取得されて送信された画像データを、該カメラ付き携帯端末装置から送信された前記発信者コードに基づいて分類保管する画像保管サーバをさらに備え、
前記課金手段は、前記画像保管サーバへの前記画像データの保管に対する課金を前記発信者コードに基づいて行う手段であることを特徴とするものである。
【０００８】
ここで、「発信者コードを有するカメラ付き携帯端末装置」は、ユニークな発信者コードを有し、発信するときに自分自身の発信者コードを示す情報も付随させる携帯端末装置である。電話番号通知可能な携帯電話機は１つの例であり、「電話番号通知」に設定されていれば、電話をかけたり、パケット送信したりするときは自分自身の電話番号（発信者コード）を電話の受話側またはパケット送信したデータの受信側に通知することができる。
【０００９】
なお、本発明による携帯端末システムにおいては、前記画像保管サーバに保管された前記画像データに対する前記カメラ付き携帯端末装置からのプリント注文に対して、前記カメラ付き携帯端末装置から送信された前記発信者コードに基づいて該画像データのプリント処理を行うプリント注文サーバをさらに備えるものとし、
前記課金手段を、前記画像データの前記プリント注文に対する課金を前記発信者コードに基づいて行う手段としてもよい。
【００１０】
【発明の効果】
本発明によれば、カメラ付き携帯端末装置において取得されて本発明による携帯端末システムに送信された画像データは画像保管サーバに保管される。この際、カメラ付き携帯端末装置から送信された発信者コードに基づいて、画像データが分類保管される。そして、画像データの保管に対する課金は、アクセスに対する課金を行う課金手段により発信者コードに基づいて行われる。このため、画像データの保管に対する決済を、携帯端末システムに対するアクセスに対する決済と同時に行うことができ、これにより、ユーザの便宜を図ることができる。また、課金は、カメラ付き携帯端末装置を用いて通信を行う際に必ず送信される発信者コードに基づいて行われるため、画像データの保管時にユーザを特定するためのユーザＩＤやパスワードを入力する必要がなくなる。
【００１１】
請求項２の発明によれば、カメラ付き携帯のユーザが画像保管サーバに保管された画像データに対するプリント注文を行った場合は、カメラ付き携帯端末装置から送信された発信者コードに基づいて画像データのプリント処理が行われる。そして、画像データのプリント注文に対する課金は、アクセスに対する課金を行う課金手段により発信者コードに基づいて行われる。このため、画像データのプリント注文に対する決済を、携帯端末システムに対するアクセスに対する決済と同時に行うことができ、これにより、ユーザの便宜を図ることができる。また、課金は、カメラ付き携帯端末装置を用いて通信を行う際に必ず送信される発信者コードに基づいて行われるため、画像データに対するプリント注文時にユーザを特定するためのユーザＩＤやパスワードを入力する必要がなくなる。
【００１２】
【発明の実施の形態】
以下図面を参照して本発明の実施形態について説明する。図１は本発明の実施形態による携帯端末システムの構成を示す概略ブロック図である。図１に示すように、本実施形態による携帯端末システム１は、カメラ付き携帯電話２との間でデータ通信を行うものであり、カメラ付き携帯電話２が行うパケット通信に対して課金を行うためにパケット交換網３と接続された課金サーバ１１と、カメラ付き携帯電話２による携帯端末システム１へのアクセス時に、カメラ付き携帯電話２から送信される電話番号Ｃ０に基づいて、カメラ付き携帯電話２の認証およびパケット交換網３からＩＰ網４への橋渡しを行い、カメラ付き携帯電話２によりインターネット接続の拠点となるＰＰＰサーバ１２と、カメラ付き携帯電話２から送信された画像データに添付された電子メールを受信するＳＭＴＰサーバ１３と、ＳＭＴＰサーバ１３が受信した画像データを保管する画像保管サーバ１４と、カメラ付き携帯電話２のユーザに関する情報を管理するユーザマスター１５と、ユーザ毎に接続料金、後述する画像データの保管料金およびプリント注文料金についての情報を記憶して課金の管理を行う課金マスター１６と、カメラ付き携帯電話２からのプリント注文時に、画像保管サーバ１４から画像データを読み出してプリント処理を行うプリント受注サーバ１７と、ＩＰ網４を経由しての画像保管サーバ１４に保管された画像データの閲覧およびプリント注文を行うためのＷｅｂサーバ１８とを備える。
【００１３】
課金サーバ１１は、パケット交換網３にアクセス中のユーザに対するパケット通信料金の課金を行う。パケット通信料金の情報は課金マスター１６に送信され、ここで、ユーザ毎に通信料金の管理が行われる。
【００１４】
ＰＰＰサーバ１２は、カメラ付き携帯電話２から送信される電話番号Ｃ０に基づいてユーザマスター１５を参照してユーザの認証を行い、パケット交換網３からＩＰ網４への橋渡しを行って、カメラ付き携帯電話２がインターネット接続する際の拠点となるものである。
【００１５】
画像保管サーバ１４は、電話番号Ｃ０に基づいてユーザ毎にフォルダを作成し、各フォルダにカメラ付き携帯電話２から送信された画像データをユーザ毎に分類して保管する。また、画像データの保管時には、保管期間および保管容量に応じて保管料金が発生する。画像保管サーバ１４は、画像データの保管期間および保管容量に応じて発生する保管料金を電話番号Ｃ０に基づいてユーザ毎に算出し、算出された保管料金の情報を課金マスター１６に送信する。
【００１６】
ユーザマスター１５は、カメラ付き携帯電話２のユーザ名、住所、電話番号Ｃ０等のユーザに関する情報を保管して管理する。
【００１７】
課金マスター１６は、課金サーバ１１から送信されるパケット通信料金の情報に基づいてカメラ付き携帯電話２の通信料金を管理し、画像保管サーバ１４から送信された画像データの保管料金の情報に基づいて画像保管サーバに保管された画像データの保管料金を管理する。さらに、カメラ付き携帯電話２から画像保管サーバ１４に保管された画像データのプリント注文があった場合にプリント受注サーバ１７から送信されるプリント料金の情報に基づいてプリント料金を管理する。課金は電話番号Ｃ０に基づいてユーザ毎に行われる。
【００１８】
プリント受注サーバ１７は、カメラ付き携帯電話２から画像保管サーバ１４に保管された画像データについてのプリント注文があった場合に、カメラ付き携帯電話２や端末装置５から送信される注文情報に基づいて、画像データのプリントを作成する。ここで、注文情報には、プリント注文を行う画像データのファイル名、プリント枚数等の情報が含まれる。さらに、プリント受注サーバ１７は、電話番号Ｃ０に基づいてプリント処理により発生するプリント料金をユーザ毎に算出し、算出されたプリント料金の情報を課金マスター１６に送信する。
【００１９】
Ｗｅｂサーバ１８は、ＩＰ網４を経由して、画像保管サーバ１４に保管された画像データの閲覧およびプリント注文を行うためのＷｅｂページを生成して、カメラ付き携帯電話２やＷｅｂサーバ１８にアクセスするパソコン等の端末装置５に閲覧画面やプリント注文画面をＷｅｂページとして送信する。
【００２０】
画像データについてのプリント注文時には、画像データの選択および注文枚数の指定を行うプリント注文画面がＷｅｂサーバ１８からカメラ付き携帯電話２や端末装置５に送信される。プリント注文を行うユーザは、カメラ付き携帯電話２や端末装置５に表示されるプリント注文画面において画像データの指定および注文枚数の指定を行って注文情報を生成し、これをＷｅｂサーバ１８に送信する。
【００２１】
ここで、カメラ付き携帯電話２からＷｅｂサーバ１８にアクセスがあった場合には、ＰＰＰサーバ１２において認証が完了しているため、Ｗｅｂサーバ１８でのユーザの認証を省略することができる。一方、端末装置５からＷｅｂサーバ１８にアクセスがあった場合には、ユーザＩＤおよびパスワードの入力を受け付けることによりＷｅｂサーバ１８においてユーザの認証を行う。
【００２２】
次いで、本実施形態の動作について説明する。図２はカメラ付き携帯電話２において取得された画像データを画像保管サーバ１４に保管する際に行われる処理を示すフローチャートである。まず、カメラ付き携帯電話２からＩＰ網４へのアクセスの指示がなされると（ステップＳ１）、カメラ付き携帯電話２から送信された電話番号Ｃ０がパケット交換網３を介してＰＰＰサーバ１２において受信される（ステップＳ２）。ＰＰＰサーバ１２においては、ユーザマスター１５が参照され、電話番号Ｃ０に基づいてアクセス中のカメラ付き携帯電話２の認証がなされる（ステップＳ３）。認証されると、通信が確立され（ステップＳ４）、その旨の情報が課金サーバ１１に送信され、課金サーバ１１によりアクセス中のカメラ付き携帯電話２に対してパケット通信料金の課金が開始される（ステップＳ５）。なお、認証されなかった場合は処理を終了する。
【００２３】
続いて、カメラ付き携帯電話２から画像データの送信すなわち、画像データを添付した電子メールの送信がなされたか否かの監視が開始され（ステップＳ６）、ステップＳ６が肯定されると、送信された電子メールがＳＭＴＰサーバ１３により受信され（ステップＳ７）、電子メールに添付された画像データが画像保管サーバ１４に保管される（ステップＳ８）。この際、電話番号Ｃ０により画像データを送信したユーザを特定できるため、画像保管サーバ１４にはユーザ毎に画像データが分類されて保管される。
【００２４】
画像保管サーバ１４による電子メールの保管後、保管料金の情報が課金マスター１６に送信され、課金マスター１６により画像データの保管料金の情報が保管される（ステップＳ９）。続いて、カメラ付き携帯電話２から通信切断の指示がなされたか否かの監視が開始され（ステップＳ１０）、ステップＳ１０が肯定されると通信が切断され（ステップＳ１１）、課金サーバ１１において通信料金が算出され（ステップＳ１２）、その情報が課金マスター１６に送信されて、通信料金の情報が課金マスター１６により保管され（ステップＳ１３）、処理を終了する。
【００２５】
画像保管サーバ１４に保管された画像データは、ＩＰ網４を介してＷｅｂサーバ１８にアクセスすることにより閲覧することができる。画像データの閲覧はパソコンのような端末装置５からでも、カメラ付き携帯電話２からでも行うことができる。カメラ付き携帯電話２から閲覧を行う場合には、パケット通信料金が課金されるが、その際の通信料金は課金サーバ１１により算出され、通信料金の情報は課金マスター１６により保管される。
【００２６】
図３は、画像保管サーバ１４に保管された画像データのプリント注文時に行われる処理を示すフローチャートである。なお、ここでは、カメラ付き携帯電話２からプリント注文を行うものとし、カメラ付き携帯電話２と携帯端末システム１との通信は確立しているものとする。
【００２７】
まず、カメラ付き携帯電話２からプリント注文の指示がなされたか否かの監視が開始され（ステップＳ２１）、ステップＳ２１が肯定されるとプリント注文画面がカメラ付き携帯電話２に送信される（ステップＳ２２）。プリント注文を行うユーザは、カメラ付き携帯電話２においてプリント注文画面を用いてプリント注文を行う画像データの選択、枚数の指定等の操作を行って注文情報を生成し、生成した注文情報をＷｅｂサーバ１８に送信する。
【００２８】
Ｗｅｂサーバ１８においては、カメラ付き携帯電話２から送信された注文情報が受信されたか否かが監視されており（ステップＳ２３）、ステップＳ２３が肯定されると受信された注文情報がプリント受注サーバ１７に送信され（ステップＳ２４）、ここで注文情報に基づくプリント処理が行われる（ステップＳ２５）。この際、電話番号Ｃ０によりプリント注文を行ったユーザを特定することができるため、画像保管サーバ１４にはユーザ毎に画像データが分類されて保管される。
【００２９】
プリント処理完了後、プリント受注サーバ１７によりプリント料金が算出され（ステップＳ２６）、プリント料金についての情報が課金マスター１６に送信されて、プリント料金の情報が課金マスター１６により保管され（ステップＳ２７）、処理を終了する。
【００３０】
なお、プリント処理により得られたプリントは、注文を行ったカメラ付き携帯電話２のユーザに配送される。
【００３１】
このように、本実施形態においては、画像保管サーバ１４における画像データの保管についての保管料金、プリント受注サーバ１７における画像データのプリント処理についてのプリント料金およびカメラ付き携帯電話２の通信料金を、カメラ付き携帯電話２から送信される電話番号Ｃ０に基づいて課金マスター１６において一括で管理するようにしたものである。
【００３２】
このため、画像データの保管に対する決済およびプリント処理についての決済を、携帯端末システム１に対するアクセスに対する決済と同時に行うことができ、これにより、ユーザの便宜を図ることができる。また、課金はカメラ付き携帯電話２を用いて通信を行う際に必ず送信される電話番号Ｃ０に基づいて行われるため、画像データの保管時やプリント注文時にユーザを特定するためのユーザＩＤやパスワードを入力する必要がなくなり、これにより、画像データの保管の依頼およびプリント注文を簡易に行うことができる。
【図面の簡単な説明】
【図１】本発明の実施形態による携帯端末システムの構成を示す概略ブロック図
【図２】カメラ付き携帯電話において取得された画像データを画像保管サーバに保管する際に行われる処理を示すフローチャート
【図３】画像保管サーバに保管された画像データのプリント注文時に行われる処理を示すフローチャート
【符号の説明】
１　　携帯端末システム
２　　カメラ付き携帯電話
３　　パケット交換網
４　　ＩＰ網
５　　端末装置
１１　　課金サーバ
１２　　ＰＰＰサーバ
１３　　ＳＭＴＰサーバ
１４　　画像保管サーバ
１５　　ユーザマスター
１６　　課金マスター
１７　　プリント受注サーバ
１８　　Ｗｅｂサーバ
【図１】
2004070404.tif 000003
【図２】
2004070404.tif 000004
【図３】
2004070404.tif 000005